(57)【要約】【課題】  自動車が遠心力の限界を超えて進行した場合において、当該自動車のタイヤが路面との摩擦により路面に弧を描いて印象するコーナーリング痕については、その曲率半径を測定することにより、路面とタイヤの摩擦係数の関係から計算式により走行速度を推定することが可能であるが、当該曲率半径を迅速正確に測定する専用のメジャーが開発されていなかった。【解決手段】  路上に印象されたコーナーリング痕から、現場において正確な印象速度を即座に判断することを目的に、測定時のずれを防止し、路面上に一直線となり固定することを容易にした両端に固定ピンを設けた長尺メジャー及び鉄球を使用した突出部の嵌合で回転運動を制御され、直角に交わる短尺スケールにより正確な計測を可能にした測定メジャー部と、巻取式収納ケース裏面に貼付した、曲率半径演算方法及び路面の摩擦係数と曲率半径を基に限界速度演算方法より算出されるコーナーリング痕印象速度についての限界速度換算表、更に収納と携帯性を併せ持つ巻取式収納ケースにより実現した。【選択図】図２
2008070345.tif 000002
【特許請求の範囲】
【請求項１】
長尺メジャーの両端に引出摘み及び路面固定用のピンを備え、前記長尺メジャーの二等分した中心位置を軸として水平に回転可動する短尺スケールを取り付け、測定時において直角に交わるＴ字型に変形して使用することを特徴とする計測メジャー部。
【請求項２】
前記、請求項１の測定メジャーにより測定した数値を基に、曲率半径演算方法及び路面の摩擦係数と曲率半径を基に限界速度演算方法より算出される限界速度の換算表を添付した巻取式収納ケース。
【請求項３】
請求項１の測定メジャー部における短尺スケールの端部及び請求項２の巻取式収納ケースの巻取り回転軸に双方が接着するマジックテープを備え、巻取式収納ケースの開口部に短尺メジャーの端部を差し込み、巻き取り回転軸を手動により回転させることによって一体収納となる請求項１の測定メジャー部と請求項２の巻取式収納ケースから成る限界速度測定用メジャー。
【発明の詳細な説明】
【技術分野】
【０００１】  本発明は、自動車のタイヤが路面に印象するコーナーリング痕の曲率半径の測定及び限界速度測定用メジャーに関する。
【背景技術】
【０００２】  自動車が遠心力の限界を超えて進行した場合において、当該自動車のタイヤが路面との摩擦により路面に弧を描いて印象するコーナーリング痕については、その曲率半径を測定することにより、路面とタイヤの摩擦係数の関係から計算式により走行速度を推定することが可能であるが、当該曲率半径を迅速正確に測定する専用のメジャーが開発されていなかった。
【発明の開示】
【発明が解決しようとする課題】
【０００３】  路面に印象されたコーナーリング痕の曲率半径を測定する場合、従来は任意の長さとした長尺メジャーの両端部をコーナーリング痕に合致させて弦とし、長尺メジャーの二等分する中心部から他のメジャーを垂直に延ばしてコーナーリング痕との交点までの距離を測定するという方法〔図９〕により数値を計測していたが、この場合、複数の補助員が必要であり、また手や足でメジャーを押さえて固定することや２本のメジャーが互いに固定されていないことなどからずれが生じ易く、更に目視により垂直としていたことから計測結果が不正確であった。【０００４】  また従来、限界速度算出に際し、計測で得られた計測値と弦としたメジャーの長さを基に曲率半径演算方法〔図７〕により曲線半径を算出、更に曲率半径と路面の摩擦係数を基にした限界速度演算方法〔図８〕の二つの計算式を経て当該コーナーリング痕の印象速度を算出していたことから、煩雑であり算出にも時間を要していたものであり、本発明はこれらの問題点を解決するために為されたものである。
【課題を解決するための手段】
【０００５】  本発明は、上記の課題を解決するために引出摘み４及び路面固定ピン３を両端に備えた長尺メジャー１の二等分する中心点ａに同所を軸として水平回転するように、短尺スケール２を取り付けた測定メジャー部とした。【０００６】  （イ）  前記測定メジャー部の長尺メジャーと短尺スケールは測定時において中心点ａを基準に直角に交わるＴ字型とするが、その際、中心点ａの直近に開けた長尺メジャーの穿孔ｄ１、ｄ２に取り付けた二つの鉄球６と短尺スケールの穿孔ｃ１、ｃ２が同一線上に重なり、鉄球６の突出部が短尺スケールの穿孔ｃ１、ｃ２と嵌合して回転運動を制御することで直角を保ち簡易に固定される構造とした。
（ロ）  また、収納時において前記測定メジャー部の短尺スケールは９０度回転させて長尺メジャーと重なり合わせて一体とするが、この際は短尺スケールの穿孔ｂ１、ｂ２と長尺メジャーの穿孔ｄ１、ｄ２が同一線上に重なり、突出部となる鉄球６と嵌合して回転運動を制御することで簡易に固定され収納時における一体化を保つ構造とした。【０００７】  （イ）  前記測定メジャー部を収納する巻取式収納ケース１２は、巻取りレバー１４と接続した巻取り軸１５にマジックテープ１６を備え、短尺スケールの先端に備えたマジックテープ５と互いに接着するものとし、巻取式収納ケースの引出口１３より短尺スケール２の先端を差し込むことで、マジックテープ同士の接着により巻取り軸と接合され、巻き取りレバー１４を回転させることで巻取り、収納となる構造とした。
（ロ）  収納時において前記測定メジャー部は短尺スケールを水平回転させ、長尺メジャーと重なり合わせて一体とした後、長尺メジャーを中央部で折り返して二重にすることで短尺スケールに二重の長尺メジャーが接続された形状となり、巻取収納ケースに短尺スケールが巻き込まれ、続いて二重の長尺メジャー〔図６〕が巻き取られる構造とした。【０００８】  測定した数値から、計算することなく即座にコーナーリング痕印象速度を判断するために、前記測定メジャー部を使用して測定した数値及び長尺メジャーの長さ、路面の摩擦係数の３要素を基に演算して算出した曲率半径及びコーナーリング痕の印象速度について、横軸を摩擦係数、縦軸を測定値とする限界速度換算表１７を巻取式収納ケース１２の裏面に貼付した。
【発明の効果】
【０００９】  本発明の測定メジャー部は、巻取式収納ケースから分離させて使用する仕様であり、その構造は、長尺のメジャーの中心部に水平回転する短尺のスケールを備えたもので、測定時は長尺メジャーの両端に備えた路面固定ピンを路面に突刺して固定し、中心部に備えた短尺スケールは回転運動を制御する構造により長尺メジャーと直角に交わるＴ字型を形成保持することから、コーナーリング痕の曲線半径を従来方法よりも正確にかつ簡単に測定することを可能とした。【００１０】  巻取式収納ケース裏面には、測定した数値及び長尺メジャーの長さ、路面の摩擦係数の３要素を基に演算して算出した曲率半径及びコーナーリング痕の印象速度についての限界速度換算表を貼付したことから、現場において計算することなく、即座に曲率半径とコーナーリング痕印象速度、即ち限界速度を判断することを可能とした。【００１１】  Ｔ字型として使用するメジャー部は収納時に一本化となり、マジックテープにより接着されて巻取式収納ケースに収納されることから収納が簡単でかつ携帯性が良い。
【発明を実施するための最良の形態】
【００１２】  路上に印象されたコーナーリング痕から、現場において正確な印象速度を即座に判断することを目的に、測定時のずれを防止し、路面上に一直線となり固定することを容易にした両端に固定ピンを設けた長尺メジャー及び鉄球を使用した突出部の嵌合で回転運動を制御され、直角に交わる短尺スケールにより正確な計測を可能にした測定メジャー部と、巻取式収納ケース裏面に貼付した、曲率半径演算方法及び路面の摩擦係数と曲率半径を基に限界速度演算方法より算出されるコーナーリング痕印象速度についての限界速度換算表、更に収納と携帯性を併せ持つ巻取式収納ケースにより実現した。
【実施例】
【００１３】  図１は本発明品である限界速度測定用メジャーにおける測定メジャー部が巻取式収納ケースに収納された状態、すなわち携帯時の状態を示す斜視図である。図１で示すように巻き取式収納ケース１２には、表面中央部に手動により回転する巻取りレバー１４が備えられ、巻取り軸１５にはマジックテープ１６を備え、裏面には限界速度換算表１７を貼付した。【００１４】  また、同収納ケースには側面に開口部１３が備えられており、測定メジャー部はこの開口部から取出し、収納することとなる。更に測定メジャー部収納時は、測定メジャー先端部の引出摘み４及び路面固定ピン３以外はすべて収納となる。まず、図２及び図３、図４を使用して前記測定メジャー部を説明することとする。【００１５】  図２は本発明である限界速度測定用メジャーにおける測定メジャー部の正面図である。図２に示すように測定メジャー部は巻取式収納ケースから完全に分離される。測定メジャー部を構成する長尺メジャー１は柔軟性のある素材のものを用い、二等分する中心点ａを中心として左右対称となるように両最端部の引出摘み４と路面固定用ピン３を備え、更に短尺スケール２を中心点ａを軸として水平回転するように取り付けた。【００１６】  測定メジャー部の短尺スケール２は目盛りを備え、コンベックスに使用される復元力のある剛性素材のものを用い、また、後に述べる収納構造の一部として、端部にマジックテープ５を取り付けた。【００１７】  図３は測定メジャー部における長尺メジャー１と短尺スケール２の接続部についての正面図である。中心部ａを軸として短尺スケールを９０度水平回転させ、互いに直角をなすＴ字型とした場合、短尺スケールの０起点ｅを長尺メジャーの側端部と合致させた。【００１８】  短尺スケールの軸となる中心点ａの直近には、後に述べる水平回転を制御する構造の一部として、中心点ａを中心とする同一円心上で中心に延ばした線が互いに９０度となる位置に穿孔ｂ１、ｃ１、ｂ２、ｃ２を設けた。【００１９】  図４は長尺メジャー１と短尺スケール２の水平回転する接続部についての展開斜視図である。図４で示すとおり、短尺スケール２の接続端部には中心線ａを通るビス穴ａ１、更に同心円上に等間隔で互いに対となる穿孔ｂ１、ｂ２、ｃ１、ｃ２を配した。また、長尺メジャー１の中心に位置する接続部には中心線ａを通るビス穴ａ２、更に同心円上で対となる穿孔ｄ１、ｄ２を左右に配し、同位置にそれぞれ鉄球６を固定した。【００２０】  長尺メジャー１の裏面にはビス穴ａ３を設けた補強用プレート７を両面テープ８により取付け堅牢性を高めた。なおこの両面テープ８により、長尺メジャーの穿孔ｄ１、ｄ２に配したそれぞれの鉄球６が固定されることとなる。【００２１】  短尺スケール２は、補強用プレート７を取り付けた長尺メジャー１との間にワッシャー１１を挟み、互いに螺合するビス９及びナット１０により接続され水平回転する。なお、ビス及びナットは接続部の薄さを保つ形状の部材とした。【００２２】  図５は路面固定ピン及び引出摘みの斜視図である。図５で示すとおり、路面固定ピン３は、長尺メジャー１の両端部で測定の起点となる位置に配し、路面に差し込んで固定するための先端の鋭い針状のピンであり、把持���るためのとってを備えた部材である。なお、路面に刺して使用するため、破損を考慮して簡単に交換可能な部材とし、長尺メジャー１への取り付けは、取付補助具３ａによりメジャーを挟み込んで固定するものである。更に双方の固定ピンのとってに開けたピン収納差し込み穴３ｂに、互いのピンを向かい合わせて差し込むことにより収納時における危険防止を図る構造とした。【００２３】  引出摘み５は、一直線の形成が必要とされる長尺メジャー１の両端部に備え、双方から引っ張ることに適した略長方形の環状とした部材とした。【００２４】  図１１は本発明品による使用形態を示す図である。使用の手順は、巻取式収納ケースから測定メジャー部をすべて引き出し、長尺メジャー１の一方の端部を測定対象のコーナリング痕上に路面固定ピン４により固定し、長尺メジャーが一直線を形成するように反対側の端部を同様に固定する。次に中央部の短尺スケールを９０度回転させて長尺メジャーと直角をなすＴ字型で簡易的に固定された状態でコーナーリング痕までの距離を測定する。【００２５】  図９は限界速度換算表の一例である。測定した数値について巻取収納ケースの裏面に貼付した限界速度換算表により曲率半径を読み取る。更に路面の摩擦係数を勘案してコーナーリング痕印象速度、即ち限界速度を読み取る。【００２６】  図６は測定メジャー部の収納時における変形の斜視図である。収納の手順は、短尺スケールを９０度回転させて長尺メジャーと一体としたうえで、長尺メジャーを中央部から折り返して二重とすると、二重になった長尺メジャー短尺メジャーに接続された形となる。更に短尺メジャーの端部を巻取式収納ケースの引き出し口から差し込み、巻き取り軸に備えたマジックテープと短尺スケール端部とのマジックテープを接合させて巻き取りレバーを回転させ収納する。
【産業上の利用可能性】
【図面の簡単な説明】
【００２７】
【図１】本発明である限界速度測定用メジャーの測定メジャー部を巻取式収納ケースに収納した状態を示す斜視図である。
【図２】本発明である限界速度測定用メジャーの測定メジャー部の正面図である。
【図３】長尺メジャーと短尺スケールの接続部の正面図である。
【図４】長尺メジャーと短尺スケールの接続部の分解斜視図である。
【図５】路面固定ピンの斜視図である。
【図６】測定メジャー部の収納時における変形の斜視図である。
【図７】曲率半径演算式を示した。
【図８】限界速度演算式を示した。
【図９】本発明である限界速度測定用メジャーの巻取式収納ケース裏面に貼付した限界速度換算表の一例である。
【図１０】従来の測定方法を示す平面図である。
【図１１】本発明による測定方法を示す平面図である。
【符号の説明】
【００２８】  Ａ    測定メジャー部
Ｂ    限界速度測定用メジャー
１    長尺メジャー
２    短尺スケール
３    路面固定ピン
３ａ  路面固定ピン取り付け補助具
３ｂ  ピン収納差し込み穴
４    引出摘み
５    マジックテープ
６    鉄球
７    補強用プレート
８    両面テープ
９    ビス
１０    ナット
１１    ワッシャー
１２    巻取式収納ケース
１３    引出口
１４    巻取りレバー
１５    巻取り軸
１６    マジックテープ
１７    限界速度換算表の一例
１８    コーナーリング痕
ａ    中心点
ａ１  ビス穴
ａ２  ビス穴
ａ３  ビス穴
ｂ１  穿孔
ｂ２  穿孔
ｃ１  穿孔
ｃ２  穿孔
ｄ１  穿孔
ｄ２  穿孔
ｅ    ０基点
【図１】
2008070345.tif 000003
【図２】
2008070345.tif 000004
【図３】
2008070345.tif 000005
【図４】
2008070345.tif 000006
【図５】
2008070345.tif 000007
【図６】
2008070345.tif 000008
【図７】
2008070345.tif 000009
【図８】
2008070345.tif 000010
【図９】
2008070345.tif 000011
【図１０】
2008070345.tif 000012
【図１１】
2008070345.tif 000013